(57)【特許請求の範囲】
【請求項１】
前方に突出する雄タブを有する端子金具と、
前記雄タブが前面から突出するとともに、前記前面にはロック部が前方に突出して形成され、前記ロック部の先端部にはロック突起が前後方向と交差する方向に突出して形成され、かつ、前記ロック突起の後方位置には型抜き孔が前後方向に貫通して形成されているハウジング本体と、
前記ハウジング本体の前面周縁部から前方に突出する筒状の形態とされ、内側に前記雄タブ及び前記ロック部が配置されるフード部と、
前記フード部内に挿入され、前記雄タブ及び前後方向と交差する方向に沿って配置されるプレート本体を有し、前記プレート本体には前記雄タブが位置決め状態で貫通する位置決め孔が形成され、かつ、前記プレート本体が、前記ロック突起に係止されて前記ハウジング本体の前面から前方に離間して配置される初期位置と、相手コネクタとの嵌合によって前記ロック突起との係止状態が解除され、前記相手コネクタとの正規嵌合時には前記ハウジング本体の前面に近接して配置される嵌合位置とに変位可能とされているムービングプレートと、
前記ハウジング本体の前記型抜き孔内に嵌合して前記型抜き孔内を埋めるサブコネクタとを備え、
前記型抜き孔は、前記ハウジング本体の後面に開口して形成され、後方から前記サブハウジングが挿入される挿入凹部と、前記挿入凹部の前面を閉塞する前壁部に貫通して形成され、前記ロック突起の後方に対応して配置される型抜き孔本体とからなり、前記前壁部に前記ロック部の基端部が一体に連結されていることを特徴とするコネクタ。
【請求項２】
前記ロック突起が、前記プレート本体に後方から当接することにより、前記ムービングプレートが前記初期位置から前記嵌合位置に落ち込むのを規制する第１ロック突起を有していることを特徴とする請求項１記載のコネクタ。
【請求項３】
前記ロック突起が、前記第１ロック突起と、前記プレート本体に前方から当接することにより、前記ムービングプレートが前方に抜け出るのを規制する第２ロック突起とからなることを特徴とする請求項２記載のコネクタ。
【請求項４】
前記サブコネクタにはシール部材が装着され、前記型抜き孔内に前記サブコネクタが装着された状態では、前記シール部材が前記型抜き孔の内周面に弾性的に密着するようになっていることを特徴とする請求項１ないし３のいずれか１項記載のコネクタ。
【発明の詳細な説明】
【技術分野】
【０００１】
本発明は、コネクタに関する。
【背景技術】
【０００２】
特許文献１には、従来のコネクタが開示されている。このものは、前方に突出する雄タブを有する端子金具と、端子金具が装着されるブロック状のハウジング本体と、ハウジング本体の前面周縁部から前方に突出して内側に雄タブが配置される筒状のフード部と、フード部内に挿入されて初期位置と嵌合位置とを移動可能とされるムービングプレートとを備えている。ムービングプレートは、前後方向と交差する方向に沿った板状のプレート本体を有している。そして、プレート本体には、雄タブが位置決め状態で貫通する位置決め孔が形成されている。初期位置では、プレート本体がハウジング本体の前面から前方に離間して配置されることで位置決め孔内に雄タブの先端部が挿入され、嵌合位置では、プレート本体がハウジング本体の前面に近接して配置されることで位置決め孔内に雄タブの基端部が挿入されるようになっている。初期位置において雄タブの先端部がプレート本体によって保護されることにより、雄タブが外部異物との干渉によって折損・破損されるのが防止されるようになっている。
【０００３】
また、ハウジング本体の前面にはロック部が前方（フード部内）に突出して形成されている。ロック部の先端部にはロック突起が前後方向と交差する方向に突出して形成されている。ロック部はプレート本体に貫設された貫通孔内に挿入され、初期位置ではロック突起がプレート本体に後方から当接することで、ムービングプレートが嵌合位置に落ち込まないようにしてある。
【先行技術文献】
【特許文献】
【０００４】
【特許文献１】特許第４５１７９４０号公報
【発明の概要】
【発明が解決しようとする課題】
【０００５】
上記従来の構成によれば、ロック突起を成形するための金型がハウジング本体内を通過することにより、ハウジング本体に型抜き孔が余儀なく形成されることになる。このため、フード部内が型抜き孔を通して外気と連通することになり、防水性を充分に確保することができないおそれがある。
【０００６】
本発明は上記のような事情に基づいて完成されたものであって、ハウジング本体に型抜き孔が形成される場合においても防水性を確保することが可能なコネクタを提供することを目的とする。
【課題を解決するための手段】
【０００７】
上記の目的を達成するための手段として、請求項１の発明は、前方に突出する雄タブを有する端子金具と、前記雄タブが前面から突出するとともに、前記前面にはロック部が前方に突出して形成され、前記ロック部の先端部にはロック突起が前後方向と交差する方向に突出して形成され、かつ、前記ロック突起の後方位置には型抜き孔が前後方向に貫通して形成されているハウジング本体と、前記ハウジング本体の前面周縁部から前方に突出する筒状の形態とされ、内側に前記雄タブ及び前記ロック部が配置されるフード部と、前記フード部内に挿入され、前記雄タブ及び前後方向と交差する方向に沿って配置されるプレート本体を有し、前記プレート本体には前記雄タブが位置決め状態で貫通する位置決め孔が形成され、かつ、前記プレート本体が、前記ロック突起に係止されて前記ハウジング本体の前面から前方に離間して配置される初期位置と、相手コネクタとの嵌合によって前記ロック突起との係止状態が解除され、前記相手コネクタとの正規嵌合時には前記ハウジング本体の前面に近接して配置される嵌合位置とに変位可能とされているムービングプレートと、前記ハウジング本体の前記型抜き孔内に嵌合して前記型抜き孔内を埋めるサブコネクタとを備え、前記型抜き孔は、前記ハウジング本体の後面に開口して形成され、後方から前記サブハウジングが挿入される挿入凹部と、前記挿入凹部の前面を閉塞する前壁部に貫通して形成され、前記ロック突起の後方に対応して配置される型抜き孔本体とからなり、前記前壁部に前記ロック部の基端部が一体に連結されているところに特徴を有する。
【０００８】
請求項２の発明は、請求項１に記載のものにおいて、前記ロック突起が、前記プレート本体に後方から当接することにより、前記ムービングプレートが前記初期位置から前記嵌合位置に落ち込むのを規制する第１ロック突起を有しているところに特徴を有する。
【０００９】
請求項３の発明は、請求項２に記載のものにおいて、前記ロック突起が、前記第１ロック突起と、前記プレート本体に前方から当接することにより、前記ムービングプレートが前方に抜け出るのを規制する第２ロック突起とからなるところに特徴を有する。
【００１０】
請求項４の発明は、請求項１ないし３のいずれか１項に記載のものにおいて、前記サブコネクタは、ブロック状のサブハウジングと、サブハウジングに組み付けられるシール部材とからなり、前記型抜き孔内に前記サブコネクタが装着された状態では、前記シール部材が前記型抜き孔の内周面に弾性的に密着するようになっているところに特徴を有する。
【発明の効果】
【００１１】
＜請求項１の発明＞
ハウジング本体には型抜き孔が貫通して形成されているが、型抜き孔内がサブコネクタで埋められるため、型抜き孔内に外部から水が浸入するのが阻止される。その結果、コネクタの防水性が確保される。また、このような構成によれば、型抜き孔内のデッドスペースが有効に活用されるため、高性能のコネクタを得ることができる。
【００１２】
＜請求項２の発明＞
第１ロック突起がサブコネクタによって後方から隠されるため、ここに後方から異物が干渉する事態が回避され、ムービングプレートが不用意に嵌合位置に落ち込むのが防止される。
【００１３】
＜請求項３の発明＞
ロック突起が第１、第２ロック突起からなるため、ムービングプレートが初期位置で前後方向への移動を規制された状態で保持される。この場合、型抜き孔には第１ロック突起に加えて第２ロック突起の成形領域を確保する必要があり、その分、型抜き孔の開口面積が大きくなるという事情があるものの、対応サイズのサブコネクタによって型抜き孔内を確実に埋めることができる。
【００１４】
＜請求項４の発明＞
サブコネクタのシール部材が型抜き孔の内周面に弾性的に密着するため、型抜き孔内が液密にシールされ、防水性を向上させることができる。
【図面の簡単な説明】
【００１５】
【図１】本発明の実施形態１に係るコネクタにおいて、ムービングプレートが初期位置にある状態をあらわす断面図である。
【図２】第１ロック突起の係止状態が解除された状態をあらわす断面図である。
【図３】相手コネクタと正規嵌合され、ムービングプレートが嵌合位置に至った状態をあらわす断面図である。
【図４】コネクタの平面図である。
【図５】コネクタの正面図である。
【図６】コネクタの背面図である。
【図７】相手コネクタの正面図である。
【図８】相手コネクタの背面図である。
【図９】相手コネクタの断面図である。
【図１０】サブコネクタの側面図である。
【図１１】相手サブコネクタの正面図である。
【発明を実施するための形態】
【００１６】
＜実施形態１＞
本発明の実施形態１を図１ないし図１１によって説明する。実施形態１に係るコネクタ１０は、端子金具２０、ハウジング３０、ムービングプレート５０、サブコネクタ７０、及びレバー９０を備え、相手コネクタ１００と嵌合可能とされている。なお、以下の説明において、前後方向については両コネクタ１０、１００の相互の嵌合面側を前方とする。
【００１７】
相手コネクタ１００は、略角ブロック状の相手ハウジング１１０を備えている。相手ハウジング１１０には、図７ないし図９に示すように、複数の相手キャビティ１１１が前後方向に延出して形成されている。各相手キャビティ１１１の内面には、撓み可能な相手ランス１１２が突出して形成されている。そして、図２に示すように、各相手キャビティ１１１内には相手端子金具１３０（雌端子金具）が挿入され、正規挿入された相手端子金具１３０は相手ランス１１２によって弾性的に抜け止めされるようになっている。実施形態１の場合、各相手キャビティ１１１は、大型、中型、及び小型サイズで構成され、各相手端子金具１３０は、各相手キャビティ１１１と対応するサイズで構成されている。なお、大型の相手端子金具１３０には相手ゴム栓１４０が接続されている。
【００１８】
相手ハウジング１１０の上下両面には一対のカムフォロア１１３が突出して形成されている。カムフォロア１１３はレバー９０と係合して両コネクタ１０、１００の嵌合を進める役割をはたす。また、相手ハウジング１１０の上下方向略中央部には、相手サブコネクタ１５０（後述する）が収容される収容凹部１１４が形成されている。収容凹部１１４は、相手ハウジング１１０の後面に開口する形態とされ、前面が前壁１１５によって実質的に閉塞されている（図７及び図８を参照）。
【００１９】
前壁１１５には、図７及び図８に示すように、複数のタブ挿入孔１１６が開口して形成されている。両コネクタ１０、１００の嵌合時には、タブ挿入孔１１６に前方から端子金具２０の雄タブ２１が挿入されるようになっている。そして、前壁１１５における相手ハウジング１１０のほぼ中心部となる位置には、ムービングプレート５０の突部５４（後述する）が嵌合可能な嵌合孔１１７が貫通して形成されている。嵌合孔１１７は、矩形状に開口する形態とされている。嵌合孔１１７の四角のうちの一角には、ロック部４１（後述する）の係止状態を解除するための解除部１１８が内側に張り出して形成されている。解除部１１８は、矩形板状をなし、周囲の前壁１１５よりも大きい厚みを有している。また、収容凹部１１４の両側内面には、一対の相手ハウジングロック受け部１１９が形成されている。
【００２０】
相手サブコネクタ１５０は、図１０及び図１１に示すように、ブロック状の相手サブハウジング１５５と、相手サブハウジング１５５の後部に組み付けられるマット状の相手シール部材１６０とからなる。相手サブハウジング１５５の両側面には、一対の相手ハウジングロック部１５１が形成されている。相手サブコネクタ１５０が収容凹部１１４内に正規挿入されると、相手ハウジングロック部１５１が相手ハウジングロック受け部１１９を弾性的に係止し、これによって相手サブコネクタ１５０が収容凹部１１４内に抜け止め保持されるようになっている。
【００２１】
相手サブハウジング１５０には、各タブ挿入孔１１６と対応する位置に、複数の相手サブキャビティ１５２が形成されている。各相手サブキャビティ１５２内には、相手端子金具１３０が挿入されて保持される。また、相手サブハウジング１５０における各相手サブキャビティ１５２間には、ロック部４１が進入可能な進入孔１５４が形成されている。進入孔１５４は、図２に示すように、相手サブハウジング１５０の前面に開口する形態とされ、後面が相手サブハウジング１５０の内部で閉塞されている。
【００２２】
図１０に示すように、相手サブハウジング１５０の後部には相手シール部材１６０が組み付けられている。相手シール部材１６０は、シリコンゴム等からなる一括ゴム栓であって、相手端子金具１３０に接続された電線の外周面に弾性的に密着するとともに、図２に示すように、収容凹部１１４の内周面に弾性的に密着する形態とされている。相手シール部材１６０によって収容凹部１１４内が液密にシールされるようになっている。
【００２３】
ハウジング３０は合成樹脂製であって、図１に示すように、略角ブロック状のハウジング本体３１と、ハウジング本体３１の前面周縁部から前方に突出する略角筒状のフード部３２とを備えている。フード部３２の上下外面には、一対の支軸３３が突出して形成され、両支軸３３には、レバー９０が回動可能に支持されている。
【００２４】
レバー９０は合成樹脂製であって、全体として門型板状をなし、図４及び図５に示すように、操作部９１と操作部９１の両端から突出する一対のカム部９２とで構成されている。カム部９２には、両支軸３３を受ける軸孔９３が貫通して形成され、かつカム溝９４が所定方向に延出して形成されている。両コネクタ１０、１００が嵌合されると、カム溝９４の入り口にカムフォロア１１３が進入し、その状態でレバー９０が図示時計周りに回動されると、カム溝９４の溝面をカムフォロア１１３が摺動してカム作用が発揮され、もって両コネクタ１０、１００の嵌合が低操作力で進行するようになっている。
【００２５】
また、図１及び図６に示すように、ハウジング本体３１には、複数のキャビティ３４が前後方向に延出して形成されている。各キャビティ３４の内面には、撓み可能なランス３５が突出して形成されている。そして、各キャビティ３４内には端子金具２０が挿入され、正規挿入された端子金具２０はランス３５によって弾性的に抜け止めされるようになっている。各キャビティ３４及び各端子金具２０は、それぞれ、各相手キャビティ１１１及び各相手端子金具１３０と対応して、大型、中型、及び小型サイズで構成されている。
【００２６】
端子金具２０は導電性の金属板を曲げ加工等して一体に成形され、図２に示すように、前方に突出する雄タブ２１と、雄タブ２１よりも後方で電線２００の端末部に圧着して接続されるバレル部２２とを有している。また、各端子金具２０のうち、大型の端子金具２０には、電線２００の端末部に嵌着されたゴム栓２５が接続されている。
【００２７】
ハウジング本体３１の下部の後面には嵌合凹部３６が開口して形成されている。嵌合凹部３６内には、一括ゴム栓３００が嵌合して挿入されるとともに、一括ゴム栓３００の後方からリアホルダ４００が嵌合して挿入される。一括ゴム栓３００が嵌合凹部３６の内周面に密着することにより、ハウジング本体３１の下部における各キャビティ３４内が液密にシールされるようになっている。また、リアホルダ４００によって一括ゴム栓３００が収容凹部１１４から抜け出るのが防止されるようになっている。
【００２８】
また、ハウジング本体３１の前面には、図１に示すように、ムービングプレート５０を初期位置（後述する）に保持するためのロック部４１が前方（フード部３２内）に突出して形成されている。ロック部４１は、基端部で二股に分岐された第１、第２ロック部４２、４３によって構成されている。第１、第２ロック部４２、４３間には上下方向の間隙があけられ、第１ロック部４２は間隙を挟んで第２ロック部４３よりも上方に位置している。
【００２９】
第１ロック部４２は、前後方向に細長く延びる第１ロック片４４と、第１ロック片４４の先端部から上方（前後方向と直交する方向で、かつ後述する第２ロック突起４９の突出方向とは反対方向）に突出する第１ロック突起４５とからなる。第１ロック片４４は、基端部（第１、第２ロック部４２、４３が互いに連なる後端部）を支点として間隙を狭める向きに撓み変形可能とされている。第１ロック突起４５の前面は、ムービングプレート５０に後方から当接する第１当接面４６とされ、上下方向に対してやや逆テーパ状に切り立って配置されている。また、第１ロック突起４５は第１ロック片４４の幅方向一側に配置されており、隣接する第１ロック片４４の幅方向他側には、図２及び図５に示すように、前後方向と交差する方向に傾斜する解除斜面４７が形成されている。解除斜面４７には相手ハウジング１１０の解除部１１８が摺動可能とされている。
【００３０】
第２ロック部４３は、前後方向に細長く延びる第２ロック片４８と、第２ロック片４８の先端部から下方（前後方向と直交する方向で、かつ前述した第１ロック突起４５の突出方向とは反対方向）に突出する第２ロック突起４９とからなる。第２ロック片４８は、第１ロック片４４よりも長寸とされ、基端部を支点として間隙を狭める向きに撓み変形可能とされている。第２ロック突起４９の後面は、ムービングプレート５０に前方から当接する第２当接面３９とされ、上下方向に対してやや逆テーパ状に切り立って配置されている。
【００３１】
ハウジング本体３１におけるロック部４１の後方位置には、図１及び図６に示すように、型抜き孔８０が形成されている。型抜き孔８０は、第１、第２ロック突起４５、４９を成形するための金型（図示せず）が通過することに伴って成形される。具体的には型抜き孔８０は、ハウジング本体３１の後面に開口し、かつ前面が前壁部８１によって実質的に閉塞された挿入凹部８２と、前壁部８１に貫通して形成された上下一対の型抜き孔本体８３とからなる。
【００３２】
両型抜き孔本体８３は、前壁部８１を前後方向に貫通する形態であって第１、第２ロック突起４５、４９の後方に対応して配置されている。図６に示すように、背面視すると、両型抜き孔本体８３を通して第１、第２ロック突起４５、４９を視認可能とされている。また、前壁部８１において両型抜き孔本体８３に挟まれる位置には、第１、第２ロック片４４、４８の基端部が一体に連結されている。そして、挿入凹部８２は、内部にサブコネクタ７０が挿入されるものであって、両側内面に一対のハウジングロック受け部８４が形成されている。
【００３３】
サブコネクタ７０は合成樹脂製であって、ブロック状のサブハウジング７５と、サブハウジング７５の後部に組み付けられるマット状のシール部材５００とからなる。サブハウジング７５は挿入凹部８２内の全体を埋めるサイズで構成され、その両側面に一対のハウジングロック部（図示せず）が形成されている。サブコネクタ７０が挿入凹部８２内に正規挿入されると、ハウジングロック部がハウジングロック受け部８４を弾性的に係止し、これによってサブコネクタ７０が挿入凹部８２内に抜け止め保持されるようになっている。また、サブハウジング７５内には、複数のサブキャビティ（図示せず）が前後方向に延出して形成されている。各サブキャビティ内には、後方から端子金具２０が挿入保持される。なお、サブコネクタ７０の基本構造は、既述した相手サブコネクタ１５０とほぼ同様である。
【００３４】
シール部材５００はシリコンゴム等からなる一括ゴム栓であって、端子金具２０に接続された電線２００の外周面に弾性的に密着するとともに、挿入凹部８２の内周面に弾性的に密着する形態とされている。図２に示すように、シール部材５００によって挿入凹部８２内が液密にシールされるようになっている。
【００３５】
ムービングプレート５０は合成樹脂製であって、図１及び図５に示すように、全体として板状のプレート本体５１で構成されている。プレート本体５１には、雄タブ２１が位置決め状態で挿入可能な複数の位置決め孔５２が貫通して形成されている。そして、ムービングプレート５０は、プレート本体５１がハウジング本体３１の前面から前方に配置される初期位置と、プレート本体５１がムービングプレート５０の前面に近接（詳細には当接）して配置される嵌合位置との間を移動可能とされている。初期位置では、図２に示すように、位置決め孔５２内に雄タブ２１の先端部が挿入され、これによって雄タブ２１が外部異物から保護されて折損・破損されるのが防止されるようになっている。一方、嵌合位置では、図３に示すように、位置決め孔５２内に雄タブ２１の基端部が挿入され、これによって雄タブ２１の先端部に相手端子金具１３０が確実に接続されるようになっている。
【００３６】
また、プレート本体５１のほぼ中心部には、ロック部４１が進入可能な貫通孔５３が形成され、かつ貫通孔５３を区画する突部５４が形成されている。突部５４は、プレート本体５１の前面から前方に突出する形態とされている。図１に示すように、突部５４の貫通孔５３内の上部には、第１ロック突起４５の第１当接面４６と当接可能な第１受け面５５が形成されている。第１受け面５５は、後方を向きつつ上下方向に対してやや逆テーパ状に切り立って配置されている。また、突部５４の貫通孔５３内の下部には、第２ロック突起４９の第２当接面３９と当接可能な第２受け面５６が形成されている。第２受け面５６は、第１受け面５５とほぼ同じ前後位置にあって、前方を向きつつ上下方向に対してやや逆テーパ状に切り立って配置されている。
【００３７】
また、フード部３２の内周面には、シールリング７００が嵌着されている。シールリング７００は、ハウジング本体３１の前面に当接可能に配置されている。ムービングプレート５０の移動時には、シールリング７００の内側をプレート本体５１が通過するようになっている。そして、シールリング７００は、両コネクタ１０、１００の正規嵌合時、相手ハウジング１１０の外周面に弾性的に密着するとともに、フード部３２の内周面に弾性的に密着するようになっている。これにより、両コネクタ１０、１００間が液密にシールされるようになっている。
【００３８】
次に、実施形態１の作用を説明する。
両コネクタ１０、１００の嵌合に先立ち、相手ハウジング１１０の収容凹部１１４内に後方から相手サブコネクタ１５０が嵌合して保持されるとともに、ハウジング本体３１の型抜き孔８０の挿入凹部８２内に後方からサブコネクタ７０が嵌合して保持される。これにより、収容凹部１１４内及び挿入凹部８２内が、それぞれ相手サブハウジング１５５及びサブハウジング７５によって緊密に埋められ、かつ相手シール部材１６０及びシール部材５００によって液密にシールされる。
【００３９】
また、ムービングプレート５０が初期位置に留め置かれる。図１に示すように、初期位置では、第１ロック突起４５の第１当接面４６がプレート本体５１の第１受け面５５に当接することでムービングプレート５０の後退が規制されるとともに、第２ロック突起４９の第２当接面３９がプレート本体５１の第２受け面５６に当接することでムービングプレート５０の前進が規制される。これにより、ムービングプレート５０がフード部３２内で前後方向への移動を規制された状態に保持される。
【００４０】
続いて、レバー９０の回動操作に基づいて両コネクタ１０、１００が互いに嵌合される。嵌合過程で、相手ハウジング１１０がプレート本体５１の前面に当接すると、解除部１１８が解除斜面４７を摺動して、図２に示すように、第１ロック片４４が下向きに撓み変形させられ、第１ロック突起４５の係止状態が解除されて、ムービングプレート５０の嵌合位置側への移動が許容される。嵌合の進行に伴い、ムービングプレート５０が相手ハウジング１１０に押動されて後退すると、ロック部４１が嵌合孔１１７から収容凹部１１４内に挿入されて逃がされる。こうして両コネクタ１０、１００が正規嵌合されると、図３に示すように、ムービングプレート５０が嵌合位置に至って、相手ハウジング１１０とハウジング本体３１との間に挟持される。また、両コネクタ１０、１００が正規嵌合されると、両端子金具２０、１３０が正規状態に接続され、相手シール部材１６０、一括ゴム栓３００、シール部材５００、ゴム栓２５、相手ゴム栓１４０、及びシールリング７００によって両コネクタ１０、１００内の防水性が確保される。
【００４１】
実施形態１によれば、第１、第２ロック突起４５、４９の成形に起因してハウジング本体３１に型抜き孔８０が余儀なく形成されるという事情があるものの、この型抜き孔８０内がサブコネクタ７０で埋められるため、型抜き孔８０内に外部から水が浸入するのが阻止される。特に、型抜き孔８０がサブコネクタ７０で埋められ、型抜き孔８０内のデッドスペースが有効に活用されるため、高性能のコネクタ１０を得ることができる。
【００４２】
また、第１ロック突起４５がサブコネクタ７０によって後方から隠されるため、ここに後方から異物が干渉する事態が回避され、ムービングプレート５０が不用意に嵌合位置に落ち込むのが防止される。さらに、型抜き孔８０には第１ロック突起４５に加えて第２ロック突起４９の成形領域を確保する必要があり、その分、型抜き孔８０の開口面積が大きくなるという事情があるものの、対応サイズのサブコネクタ７０によって型抜き孔８０内を確実に埋めることができる。
【００４３】
＜他の実施形態＞
本発明は上記記述及び図面によって説明した実施形態に限定されるものではなく、例えば次のような実施形態も本発明の技術的範囲に含まれる。
（１）ロック部が第１ロック部及び第１ロック突起のみで構成されるものであってもよい。
（２）相手ハウジングには、収容凹部が形成されず、相手サブコネクタが組み込まれない構成であってもよい。
（３）サブコネクタがシール部材を有さず、サブハウジング自身が挿入凹部内に密嵌される構成であってもよい。つまり、本発明は、簡易防水型のコネクタにも適用可能である。
（４）レバーが装着されないタイプのコネクタにも適用可能である。
（５）ハイブリッド形式ではなく、一種類の端子金具を収容するコネクタにも適用可能である。
【符号の説明】
【００４４】
１０…コネクタ
２０…端子金具
２１…雄タブ
３０…ハウジング
３１…ハウジング本体
３２…フード部
４１…ロック部
４５…第１ロック突起
４９…第２ロック突起
５０…ムービングプレート
７０…サブコネクタ
７５…サブハウジング
８０…型抜き孔
１００…相手コネクタ
５００…シール部材
【図１】
0005754388.tif 000002
【図２】
0005754388.tif 000003
【図３】
0005754388.tif 000004
【図４】
0005754388.tif 000005
【図５】
0005754388.tif 000006
【図６】
0005754388.tif 000007
【図７】
0005754388.tif 000008
【図８】
0005754388.tif 000009
【図９】
0005754388.tif 000010
【図１０】
0005754388.tif 000011
【図１１】
0005754388.tif 000012